(57)【要約】【課題】  顕微鏡において、標本を動かさずに、標本の観察視野を移動調整する。【解決手段】  本発明の顕微鏡は、第１対物レンズ、第２対物レンズ、反射用ミラー、角度調整機構、およびシフト機構を備える。第１対物レンズは、標本側に位置する。第２対物レンズは、標本の中間像を第１対物レンズと共に形成する。反射用ミラーは、第１対物レンズと第２対物レンズとの光路上に傾斜配置される。角度調整機構は、反射用ミラーを傾斜方向に回動調整する。シフト機構は、第２対物レンズを、反射用ミラーの回動軸の軸方向にシフト調整する。この構成では、角度調整機構およびシフト機構によって、観察視野を２次元方向に移動できる。【選択図】      図１
2007086443.tif 000002
【特許請求の範囲】
【請求項１】
標本から観察像までの光路において、前記標本側に位置する第１対物レンズと、
前記標本に共役な中間像を、前記第１対物レンズと共に形成する第２対物レンズと
前記第１対物レンズと前記第２対物レンズとの光路上に傾斜して配置され、反射により光路の方向を変更する反射用ミラーと、
前記反射用ミラーを傾斜方向に回動調整する角度調整機構と、
前記第２対物レンズを、前記反射用ミラーの回動軸の軸方向にシフト調整するシフト機構とを備え、
前記角度調整機構および前記シフト機構によって、前記標本の観察視野を２次元方向に移動可能にした
ことを特徴とする顕微鏡。
【請求項２】
標本から観察像までの光路において、前記標本側に位置する第１対物レンズと、
前記標本に共役な中間像を、前記第１対物レンズと共に形成する第２対物レンズと
前記第１対物レンズと前記第２対物レンズとの光路上に傾斜して配置され、反射により光路の方向を変更する反射用ミラーと、
前記第２対物レンズを光軸に直交する面内で２次元シフト移動させる２次元シフト機構とを備え、
前記２次元シフト機構によって、前記標本の観察視野を２次元方向に移動可能にした
ことを特徴とする顕微鏡。
【請求項３】
標本から観察像までの光路において、前記標本側に位置する第１対物レンズと、
前記標本に共役な中間像を、前記第１対物レンズと共に形成する第２対物レンズと
前記第１対物レンズと前記第２対物レンズとの光路上に傾斜して配置され、反射により光路の方向を変更する反射用ミラーと、
前記反射用ミラーの延在方向が変わるように、前記反射用ミラーの向きを調整する角度調整機構と、
前記観察像を撮像して画像データを生成する撮像素子と、
前記反射用ミラーの向き調整による像面の傾きに合わせて、前記撮像素子を回動することにより、撮像される画像データの向きを一定させる素子回動機構とを備え、
前記角度調整機構によって、前記標本の観察視野を２次元方向に移動可能にした
ことを特徴とする顕微鏡。
【請求項４】
標本から観察像までの光路において、前記標本側に位置する第１対物レンズと、
前記標本に共役な中間像を、前記第１対物レンズと共に形成する第２対物レンズと
前記第１対物レンズと前記第２対物レンズの光路上に傾斜して配置され、反射により光路の方向を変更する第１反射用ミラーと、
前記第１対物レンズと前記第２対物レンズの光路上に、前記第１反射用ミラーと異なる向きに傾斜して配置され、反射により光路の方向を変更する第２反射用ミラーと、
前記第１反射用ミラーをその傾斜方向に回動調整する第１角度調整機構と、
前記第２反射用ミラーをその傾斜方向に回動調整する第２角度調整機構とを備え、
前記第１角度調整機構および前記第２角度調整機構によって、前記標本の観察視野を２次元方向に移動可能にした
ことを特徴とする顕微鏡。
【請求項５】
請求項１に記載の顕微鏡において、
「前記観察視野の位置」と「前記反射用ミラーの回動量，および前記第２対物レンズのシフト量」との対応関係を記憶する対応記憶部と、
入力指示される「前記観察視野の位置」に応じて前記対応関係を参照することにより、対応する前記回動量および前記シフト量を決定する調整量決定部と、
前記調整量決定部で求めた前記回動量および前記シフト量に従って、前記角度調整機構および前記シフト機構を制御する制御部と
を備えたことを特徴とする顕微鏡。
【請求項６】
請求項１ないし請求項５のいずれか１項に記載の顕微鏡において、
前記第２対物レンズの光路後方に、前記観察像の像倍率を変更可能な変倍光学系を備えた
ことを特徴とする顕微鏡。
【請求項７】
請求項１ないし請求項６のいずれか１項に記載の顕微鏡において、
前記観察視野の位置に応じて、前記観察像の明るさを補正する明るさ補正部を備えた
ことを特徴とする顕微鏡。
【請求項８】
請求項１ないし請求項７のいずれか１項に記載の顕微鏡と、
前記顕微鏡の観察視野の位置をずらしながら、前記観察像を撮像して画像データを順次に生成する画像データ生成部と、
生成された複数の前記画像データを合成して、前記標本のバーチャルスライドを作成する画像合成部と
を備えていることを特徴とするバーチャルスライド作成システム。
【発明の詳細な説明】
【技術分野】
【０００１】
本発明は、顕微鏡、およびバーチャルスライド作成システムに関する。
【背景技術】
【０００２】
従来の顕微鏡観察では、低倍率の対物レンズを用いて広視野の中から観察したい部位を探し、その部位を観察範囲の中央に移動させる。この状態で対物レンズを低倍率から高倍率へ切り換えて、観察部位を拡大観察する。
また、特許文献１の顕微鏡は、低倍率の対物レンズと倍率変換光学系を組み合わせている。この構成では、倍率変換光学系を低倍率に設定して観察部位を探し、その部位を観察範囲の中央に移動させる。この状態で倍率変換光学系を高倍率に切り換え、その観察部位を拡大して観察する。
このように、顕微鏡観察では、観察視野の移動、および観察部位の拡大といった操作が頻繁に繰り返される。従来の顕微鏡では、この観察視野を移動するため、標本を載せたステージを移動させる、或いは、対物レンズを移動させるといった操作が必要であった。
【特許文献１】特開２００２−３１７５８号公報
【発明の開示】
【発明が解決しようとする課題】
【０００３】
ところで、電気生理学等での顕微鏡観察では、標本にマニピュレータなどを設置することが多い。この場合、対物レンズの先端とマニピュレータとが非常に接近（１ｍｍ以下）するため、両者を接触させないように標本（ステージ）を動かすことが非常に困難であった。また、標本回りには、標本環境を維持するために溶液交換チューブや流路などの設置物も多く、標本（ステージ）を動かすことは更に困難であった。
【０００４】
また、液浸型対物レンズを用いた観察では、ステージや対物レンズの移動によって、接触関係にある対物レンズと水溶液との界面が変化する。このとき、標本自体が水溶液の振動によって変化したり、マニピュレータの先端に設置された電極針と標本との接触状態が変化するなどの問題があった。
【０００５】
本発明者は、これらの問題点に気が付き、標本に接近する対物レンズを切り替えることなく、且つ、ステージや標本の位置を変えることなく、顕微鏡の観察視野を移動させる機構を検討した。
【０００６】
さらに、本発明者は、この新しい観察視野の移動に伴って、観察像が斜め向きに傾いてしまうという現象（後述）に気が付いた。
【０００７】
そこで、本発明の目的は、標本を動かさずに、顕微鏡の観察視野を移動可能にする技術を提供することである。
また、本発明の別の目的は、観察視野を移動しても観察像の向きが傾かない技術を提供することである。
【課題を解決するための手段】
【０００８】
《１》  本発明の顕微鏡は、第１対物レンズ、第２対物レンズ、反射用ミラー、角度調整機構、およびシフト機構を備える。
第１対物レンズは、標本から観察像までの光路において、標本側に位置するレンズである。第２対物レンズは、標本に共役な中間像を、第１対物レンズと共に形成するレンズである。反射用ミラーは、第１対物レンズと第２対物レンズとの光路上に傾斜して配置され、反射により光路の方向を変更する。角度調整機構は、反射用ミラーを傾斜方向に回動調整する。シフト機構は、第２対物レンズを、反射用ミラーの回動軸の軸方向にシフト調整する。
以上の構成では、角度調整機構およびシフト機構によって、標本の観察視野を２次元方向に移動調整できる。
【０００９】
《２》  本発明の別の顕微鏡は、第１対物レンズ、第２対物レンズ、反射用ミラー、および２次元シフト機構を備える。
第１対物レンズは、標本から観察像までの光路において、標本側に位置するレンズである。第２対物レンズは、標本に共役な中間像を、第１対物レンズと共に形成するレンズである。反射用ミラーは、第１対物レンズと第２対物レンズとの光路上に傾斜して配置され、反射により光路の方向を変更する。２次元シフト機構は、第２対物レンズを光軸に直交する面内で２次元方向にシフト移動させる。
以上の構成では、２次元シフト機構によって、標本の観察視野を２次元方向に移動調整できる。
【００１０】
《３》  本発明の別の顕微鏡は、第１対物レンズ、第２対物レンズ、反射用ミラー、角度調整機構、撮像素子、および素子回動機構を備える。
第１対物レンズは、標本から観察像までの光路において、標本側に位置するレンズである。第２対物レンズは、標本に共役な中間像を、第１対物レンズと共に形成するレンズである。反射用ミラーは、第１対物レンズと第２対物レンズとの光路上に傾斜して配置され、反射により光路の方向を変更する。角度調整機構は、反射用ミラーの延在方向が変わるように、反射用ミラーの向きを調整する機構である。撮像素子は、観察像を撮像して画像データを生成する。素子回動機構は、反射用ミラーの向き調整による像面の傾きに合わせて、撮像素子を回動することにより、撮像される画像データの向きを一定させる。
以上の構成では、角度調整機構によって、標本の観察視野を２次元方向に移動調整できる。
【００１１】
《４》  本発明の別の顕微鏡は、第１対物レンズ、第２対物レンズ、第１反射用ミラー、第２反射用ミラー、第１角度調整機構、第２角度調整機構を備える。
第１対物レンズは、標本から観察像までの光路において、標本側に位置するレンズである。第２対物レンズは、標本に共役な中間像を、第１対物レンズと共に形成するレンズである。第１反射用ミラーは、第１対物レンズと第２対物レンズとの光路上に傾斜して配置され、反射により光路の方向を変更する。第２反射用ミラーは、第１対物レンズと第２対物レンズとの光路上に、第１反射用ミラーと異なる向きに傾斜して配置され、反射により光路の方向を変更する。第１角度調整機構は、第１反射用ミラーをその傾斜方向に回動調整する。第２角度調整機構は、第２反射用ミラーをその傾斜方向に回動調整する。
以上の構成では、第１角度調整機構および第２角度調整機構によって、標本の観察視野を２次元方向に移動調整できる。
【００１２】
《５》  なお好ましくは、上記《１》に記載の顕微鏡において、対応記憶部、調整量決定部、および制御部を備える。
対応記憶部は、「観察視野の位置」と「反射用ミラーの回動量，および第２対物レンズのシフト量」との対応関係を記憶する。
調整量決定部は、入力指示される「観察視野の位置」に応じて対応関係を参照することにより、対応する回動量およびシフト量を決定する。
制御部は、調整量決定部で求めた回動量およびシフト量に従って、角度調整機構およびシフト機構を制御する。
【００１３】
《６》  なお好ましくは、上記いずれかの顕微鏡において、第２対物レンズの光路後方に、観察像の像倍率を変更可能な変倍光学系を備える。
【００１４】
《７》  また好ましくは、上記いずれかの顕微鏡において、観察視野の位置に応じて、観察像の明るさを補正する明るさ補正部を備える。
【００１５】
《８》  本発明のバーチャルスライド作成システムは、上記いずれかの顕微鏡と、画像データ生成部、および画像合成部を備える。画像データ生成部は、顕微鏡の観察視野を位置をずらしながら、観察像を撮像して画像データを順次に生成する。画像合成部は、画像データ生成部によって生成される複数の画像データを合成して、標本のバーチャルスライドを作成する。
【発明の効果】
【００１６】
本発明によれば、標本に接近する対物レンズ（第１対物レンズ）と標本との位置関係を変化させることなく、顕微鏡の観察視野を２次元方向に移動させることができる。
また、本発明によれば、観察視野の移動に際して、観察像の傾きを低減することが可能になる。
【発明を実施するための最良の形態】
【００１７】
以下、図面を用いて本発明の実施の形態を説明する。
《第１実施形態》
［構成説明］
図１は、第１実施形態における顕微鏡システム１０を示す図である。図２は、顕微鏡システム１０の光路の一部を示す図である。以下、図１および図２を用いて、顕微鏡システム１０の構成を説明する。
まず、顕微鏡システム１０は、顕微鏡１２、およびコンピュータ１１から概略構成される。
この顕微鏡１２のステージ１３には、観察対象である標本１４が配置される。この標本１４に向けて第１対物レンズ１５が配置される。この第１対物レンズ１５の像空間側には、反射用ミラー１６、第２対物レンズ１７、および変倍光学系１８を配置した光路が設けられる。
【００１８】
この光路上の反射用ミラー１６は、第１対物レンズ１５と第２対物レンズ１７との間に傾斜して配置される。この反射用ミラー１６は、傾斜方向に回動可能となるよう回動軸Ｒが設けられる。角度調整機構２０は、この回動軸Ｒを中心に、反射用ミラー１６を回動調整する。なお、この回動軸Ｒは、現実の回動軸に限らない。例えば、反射用ミラー１６の周囲に傾斜コースのガイドレールを設けることで、回動軸Ｒを仮想的に実現してもよい。
【００１９】
一方、第２対物レンズ１７の側には、シフト機構２１が設けられる。このシフト機構２１は、回動軸Ｒと平行する方向へ、第２対物レンズ１７をシフト調整する。
例えば、このシフト機構２１は、シフト方向を案内するためのガイドレール４１、第２対物レンズ１７を押し出し駆動するステッピングモータ４２、第２対物レンズ１７をステッピングモータ４２へ付勢するバネ４３、および位置センサ４４などから構成される。
【００２０】
さらに、第２対物レンズ１７の光路後方には、観察像の像倍率を変更するための変倍光学系１８が設けられる。この変倍光学系１８は、低倍光学系１８ａと高倍光学系１８ｂを光路上で入れ替える方式で構成される。なお、変倍光学系１８をズーム光学系により構成してもよい。
この変倍光学系１８を介して形成される標本１４の観察像は、観察カメラ２４ａで撮像される。この観察カメラ２４ａの撮像画像は、コンピュータ１１で画像処理された後、観察モニタ１１ａに表示される。
【００２１】
なお、顕微鏡１２には２系統の照明機構が切り換え可能に設けられる。一方の透過用光源２５は、標本１４の下面側から透過照明用の光を照明する。もう一方の蛍光励起用光源２６は、第１対物レンズ１５の側から蛍光励起用の光を標本１４に照明する。
さらに、顕微鏡１２には、調整量決定部３１、対応記憶部３２、制御部３３、明るさ補正部３４が設けられる。調整量決定部３１は、コンピュータ１１から入力指示される「観察視野の位置」に基づいて、反射用ミラー１６の回動量，および第２対物レンズ１７のシフト量を決定する。対応記憶部３２には、この調整量決定のための対応関係が記録されている。制御部３３は、決定された調整量に応じて角度調整機構２０およびシフト機構２１を駆動制御する。一方、明るさ補正部３４は、コンピュータ１１から入力指示される「観察視野の位置」に応じて、透過用光源２５や蛍光励起用光源２６を調光制御し、観察視野の明るさ変化を補正する。
【００２２】
なお、反射用ミラー１６は、ハーフミラーなどで構成してもよい。この場合、反射用ミラー１６は、所定割合の光束を背面側へ透過する。この透過光束は、観察カメラ２４ｂや接眼部２４ｃへ供給される。
【００２３】
［観察視野の移動原理］
以下、第１実施形態の特徴である観察視野の移動原理について説明する。
図３は、反射用ミラー１６による観察視野の移動を説明する図である。
図３［Ａ］は、反射用ミラー１６を傾斜方向に回動調整するケースである。この傾斜方向の回動調整によって、反射用ミラー１６の反射光束が傾斜方向に振られる。その結果、第２対物レンズ１７には反射光束がアオリ入射し、第２対物レンズ１７によって形成される中間像の位置はアオリ移動する。このアオリ移動では、中間像の向きは傾かず、中間像はアオリ方向に直線移動する。
一方、図３［Ｂ］は、入射光束の光軸を回動中心として、反射用ミラー１６を回動調整するケースである。この回動調整では、図３［Ｂ］に示すように、入射光束の断面に対して、反射用ミラー１６の傾斜方向が回転する。そのため、反射用ミラー１６の反射光束は、光束断面が回転する。この光束断面の回転現象により、第２対物レンズ１７が形成する中間像は像の向きが傾いてしまう。このような原理により、反射用ミラー１６を入射光束の光軸を中心に回動すると、観察視野は回転移動し、観察像の向きが傾く。
【００２４】
このような理由から、第１実施形態では、反射用ミラー１６を傾斜方向にのみ回動調整する。この傾斜方向のみの回動調整であれば、図３［Ａ］で説明したように観察像は傾かない。しかし、反射用ミラー１６の回動軸の軸方向には観察視野は動かせないため、観察視野を２次元方向に移動させることができない。
そこで、第１実施形態では、この回動軸の軸方向に第２対物レンズ１７をシフト移動させる。このシフト移動により、中間像を回動軸方向に直線移動させることが可能になる。
以上説明したように、第１実施形態では、反射用ミラー１６の傾斜方向の回動調整と、その回動軸方向への第２対物レンズ１７のシフト移動とを組み合わせることにより、観察像を傾けることなく、観察視野を２次元方向に移動させることが可能になる。
【００２５】
［観察視野の制御動作について］
図４は、一般的な観察手順を示す流れ図である。以下、図４に示すステップ番号の順に、観察視野の制御動作について説明する。
【００２６】
ステップＳ１：  ユーザーは、観察視野の移動を行うため、変倍光学系を低倍率に設定する。この倍率設定により、観察モニタ１１ａには広視野の標本画像が表示される。
【００２７】
ステップＳ２：  ユーザーは、観察モニタ１１ａの画面を観ながら、標本画像の中から所望する観察部位を決定する。ユーザーは、コンピュータ１１のキーボートやマウスなどの入力機器を操作して、この標本部位が画面中央に位置するように、観察視野の移動指示をコンピュータ１１に与える。コンピュータ１１は、この移動指示を、調整量決定部３１に伝達する。調整量決定部３１は、この移動指示と観察視野の現在位置に基づいて、移動すべき観察視野の位置（座標）を決定する。
【００２８】
ステップＳ３：  顕微鏡１２の対応記憶部３２には、観察視野の位置と、（反射用ミラー１６の回動量，第２対物レンズ１７のシフト量）との対応関係が予め記録されている。
【００２９】
このような対応関係は、例えば、次の手順で作成することができる。
まず、ステージ１３上に２次元座標系を設定する。このとき、一方の座標成分を、反射用ミラー１６の傾斜方向の回動調整によって観察視野が移動する軌跡方向の座標成分Ａとする。もう一方の座標成分を、第２対物レンズ１７のシフト調整によって観察視野が移動する軌跡方向の座標成分Ｂとする。
次に、（反射用ミラー１６の回動量，第２対物レンズ１７のシフト量）を所定ステップごとに設定変更しながら、観察モニタ１１ａの画面中央に表示される位置座標（Ａ，Ｂ）を順次に求める。この実験結果をまとめることにより、対応関係を作成する。
なお、「座標成分Ａと反射用ミラー１６の回動量との対応関係」と、「座標成分Ｂと第２対物レンズ１７のシフト量との対応関係」とのように、座標成分ごとに独立した対応関係を作成してもよい。
調整量決定部３１は、対応記憶部３２内の対応関係に、観察視野の位置を参照することにより、対応する調整量（すなわち、反射用ミラー１６の回動量，第２対物レンズ１７のシフト量）を決定する。
【００３０】
ステップＳ４：  制御部３３は、調整量に合わせて、角度調整機構２０およびシフト機構２１を制御する。その結果、反射用ミラー１６の回動調整と、第２対物レンズ１７のシフト調整が行われ、所望の観察視野が観察モニタ１１ａの画面中央に位置するようになる。
【００３１】
ステップＳ５：  通常、観察視野の移動に伴って観察像の明るさは変化する。明るさ補正部３４には、「観察視野の位置」と「観察像の明るさ変化」との対応関係が変倍光学系１８の倍率ごとに予め記録されている。明るさ補正部３４は、調整量決定部３１から伝達された観察視野の位置を、この対応関係に照会して、低倍率時の観察像の明るさ変化を情報取得する。明るさ補正部３４は、この観察像の明るさ変化を補正し、観察モニタ１１ａ上の表示明るさを一定に維持する。なお、このような明るさ補正は、照明光源（透過用光源２５や蛍光励起用光源２６）の調光制御や、観察光路上のフィルタ変更や、観察カメラ２４ａの露出制御または撮像感度制御、観察モニタ１１ａの輝度調整などによって行うことが可能である。
【００３２】
ステップＳ６：  ユーザーは、観察視野の位置を調整した後、変倍光学系１８を高倍率側に切り換える。
【００３３】
ステップＳ７：  明るさ補正部３４は、調整量決定部３１から伝達された観察視野の位置に基づいて、高倍率時における観察像の明るさ変化を補正する。
【００３４】
ステップＳ８：  この状態において、観察モニタ１１ａには、標本１４の所望の観察視野が高倍率で表示される。なお、必要であれば、この高倍率状態において、観察視野の移動や明るさ補正を繰り返してもよい。
【００３５】
［第１実施形態の効果など］
以上説明したように、第１実施形態では、反射用ミラー１６の傾斜方向の回動調整と、その回動軸方向への第２対物レンズ１７のシフト調整とを組み合わせることにより、観察像を傾けることなく、観察視野の２次元移動を実現する。
【００３６】
この観察視野の移動では、標本１４および第１対物レンズ１５を動かす必要がない。そのため、第１対物レンズ１５の近傍にマイクロマニピュレータの電極針などがあっても、接触する等のおそれがない。
さらに、コンピュータ１１などの指示入力に従って観察視野を正確に移動できる。その結果、観察視野を適宜に登録して同一の観察視野を何度も再現するなど、ユーザの利便性が大きく向上する。
【００３７】
また、第１実施形態では、第２対物レンズ１７の光路後方に、変倍光学系１８を配置する。この変倍光学系１８の倍率切り換えによって、観察視野の変位した位置を維持したまま、観察像の像倍率だけを可変することができる。
【００３８】
《第２実施形態》
図５は、第２実施形態の構成を説明する図である。なお、その他の構成や基本動作については、第１実施形態と同じため、ここでの説明を省略する。
第２実施形態の構成上の特徴は、角度調整機構２０およびシフト機構２１に代えて、２次元シフト機構１２１を備える点である。この２次元シフト機構１２１を用いて、第２対物レンズ１７を光軸に直交する面Ｓ内で２次元方向にシフト移動させることができる。
このような２次元シフト機構１２１は、例えば、ステージ駆動機構や、光学的ブレ補正レンズの駆動機構などを応用して実現することができる。
この２次元シフト移動によって、観察像を傾けることなく、観察視野の２次元移動を実現できる。
【００３９】
《第３実施形態》
図６は、第３実施形態の構成を説明する図である。なお、その他の構成や基本動作については、第１実施形態と同じため、ここでの説明を省略する。
第３実施形態では、角度調整機構２０が、反射用ミラー１６の延在方向が変わるように、反射用ミラー１６の向きを調整する。この延在方向の調整により、図３［Ａ］および図３［Ｂ］に示した反射用ミラー１６の２種類の動きを同時に実現することができる。その結果、観察視野を２次元移動させることが可能になる。
【００４０】
ただし、図３［Ｂ］の動きでは、反射用ミラー１６の反射光束の断面が回転し、観察像の向きが傾いてしまう。
そこで、第３実施形態では、観察カメラ２４ａに素子回動機構２１１を新たに設ける。この素子回動機構２１１は、上述した光束断面の回動角度に一致するように、観察カメラ２４ａ内の撮像素子２０１を回動させる。この撮像素子２０１の回動動作により、観察モニタ１１ａに表示される観察像の傾きを打ち消すことが可能になる。
なお、回動軸の位置は、撮像素子の中央や周辺部や素子外側など適宜に配置することができる。特に、回動軸の位置設定によって、撮像素子の回動動作によって観察視野を積極的に移動したり、観察視野の余計な移動を打ち消すことが可能になる。
以上の動作により、第３実施形態では、観察像の傾き変化を打ち消しつつ、観察視野の２次元移動を実現できる。
【００４１】
《第４実施形態》
図７は、第４実施形態の構成を説明する図である。なお、その他の構成や動作については、第１実施形態と同じため、ここでの説明を省略する。
第４実施形態では、第１対物レンズ１５と第２対物レンズ１７の光路上に、第１反射用ミラー３１１と第２反射用ミラー３１２をそれぞれ設ける。これら２つの反射用ミラーは、傾斜方向が互いに異なる。
【００４２】
第１反射用ミラー３１１には、傾斜方向に回動可能となるように、回動軸Ｒ１が設けられる。第１角度調整機構３１３は、この回動軸Ｒ１を中心にして、第１反射用ミラー３１１を回動調整する。
同様に、第２反射用ミラー３１２にも、傾斜方向に回動可能となるように、回動軸Ｒ２が設けられる。第２角度調整機構３１４は、この回動軸Ｒ２を中心にして、第２反射用ミラー３１２を回動調整する。
【００４３】
図３［Ａ］で示したように、１つの反射用ミラーを傾斜方向に回動調整することによって、観察像を傾けることなく、一方向に観察視野を直線移動させることができる。
第４実施形態では、傾斜方向の異なる２つの反射用ミラー３１１，３１２を傾斜方向に回動調整することによって、観察視野を傾けることなく、異なる２方向に観察視野をそれぞれ直線移動（すなわち２次元移動）することが可能になる。
【００４４】
《第５実施形態》
次に、上述した第１〜第４実施形態の顕微鏡システムを、バーチャルスライド作成システムとして使用する態様について説明する。
コンピュータ１１は、顕微鏡１２の内部機構を動かすことで、標本１４や第１対物レンズ１５を動かすことなく、観察視野を段階的に走査移動させる。コンピュータ１１は、この走査移動にタイミングを合わせて、観察カメラ２４ａが出力する画像データを順次に取り込む。コンピュータ１１は、内部メモリ上に、これら画像データを撮像時の観察視野の位置に応じて格納することにより、標本１４のほぼ全域をカバーする合成画像データを生成する。この合成画像データは、コンピュータ１１内の記録装置に格納される。コンピュータ１１は、この合成画像データを適時に読み出して画面表示することにより、標本１４のバーチャルスライドとして使用する。
【００４５】
従来のバーチャルスライド作成システムでは、標本１４を小刻みに走査移動させなければならず、振動の影響を標本１４に与えるといった弊害があった。
しかしながら、第１〜第４実施形態の顕微鏡システムでは、いずれも標本１４を動かすことなく、顕微鏡光学系の内部で観察視野の走査移動を実現できる。したがって、振動の影響を一切受けることなく、良好な標本状態のバーチャルスライドを作成することが可能になる。
【００４６】
なお、図８は、このようなバーチャルスライド作成システムに適した大型ステージ１８０を示す図である。この大型ステージ１８０は、図１に示すステージ１３に代えて、顕微鏡１２に装着することができる。この大型ステージ１８０をコンピュータ１１の制御でステージ移動させることにより、ステージ上のスライド標本１９０を順次に入れ替えることができる。この場合も、標本の入れ替え時を除けば振動の影響を殆ど受けず、良好な標本状態のバーチャルスライドを一度に沢山作成することが可能になる。
【００４７】
《実施形態の補足事項》
なお、上述した実施形態では、正立顕微鏡の例について説明した。しかしながら、実施形態はこれに限定されるものではない。例えば、本発明は倒立顕微鏡にも適用可能である。
【００４８】
また、上述した実施形態では、反射用ミラーの回動軸を鏡面中央に固定する例を述べた。しかしながら、実施形態はこれに限定されるものではない。例えば、回動軸を鏡面中央から外してもよい。
【００４９】
なお、上述した実施形態では、反射用ミラーの光路後方に第２対物レンズを配置している。しかしながら、実施形態はこれに限定されるものではない。例えば、反射用ミラーの前方に第２対物レンズを配置してもよい。
【産業上の利用可能性】
【００５０】
以上説明したように、本発明は、顕微鏡（例えば、電気生理学用の顕微鏡や、バーチャルスライド作成）の分野において利用可能な技術である。
【図面の簡単な説明】
【００５１】
【図１】第１実施形態における顕微鏡システム１０を示す図である。
【図２】顕微鏡システム１０の光路の一部を示す図である。
【図３】反射用ミラー１６による観察視野の移動を説明する図である。
【図４】観察手順を説明する流れ図である。
【図５】第２実施形態の構成を説明する図である。
【図６】第３実施形態の構成を説明する図である。
【図７】第４実施形態の構成を説明する図である。
【図８】バーチャルスライド作成システムに適した大型ステージ１８０を示す図である。
【符号の説明】
【００５２】
１０…顕微鏡システム，１１…コンピュータ，１１ａ…観察モニタ，１２…顕微鏡，１３…ステージ，１４…標本，１５…第１対物レンズ，１６…反射用ミラー，１７…第２対物レンズ，１８…変倍光学系，１８ａ…低倍光学系，１８ｂ…高倍光学系，２０…角度調整機構，２１…シフト機構，２４ａ…観察カメラ，２５…透過用光源，２６…蛍光励起用光源，３１…調整量決定部，３２…対応記憶部，３３…制御部，３４…明るさ補正部，４１…ガイドレール，１２１…２次元シフト機構，２１１…素子回動機構，３１１…第１反射用ミラー，３１２…第２反射用ミラー，３１３…第１角度調整機構，３１４…第２角度調整機構                                                                               
【図１】
2007086443.tif 000003
【図２】
2007086443.tif 000004
【図３】
2007086443.tif 000005
【図４】
2007086443.tif 000006
【図５】
2007086443.tif 000007
【図６】
2007086443.tif 000008
【図７】
2007086443.tif 000009
【図８】
2007086443.tif 000010